【手続補正書】
【提出日】平成17年12月27日(2005.12.27)
【手続補正１】
【補正対象書類名】明細書
【補正対象項目名】全文
【補正方法】変更
【補正の内容】
【書類名】        明細書
【発明の名称】    床下収納庫の上部扉の開閉装置、およびこれを備えた床下収納庫
【特許請求の範囲】
【請求項１】  床(1)の収納庫嵌入用凹所(3)内に上部扉(5)を有する収納庫(2)が収められ、凹所(3)の上端開口部(3a)に取り付けられた方形枠(10)の左枠部材(11)に第１ヒンジ構成部(12)が設けられ、収納庫(2)の上部扉(5)に取り付けられた扉枠(20)の左枠部材(21)に第２ヒンジ構成部(22)が設けられ、凹所(3)の左枠部材(11)の第１ヒンジ構成部(12)が、右方張出部(13)と、右方張出部(13)の下側に設けられかつ断面円弧形の案内面(14a)を有する案内部(14)とによって構成され、この第１ヒンジ構成部(12)に、右方に向かって開口した開口部(18)を有する第２ヒンジ構成部嵌込み用凹部(19)が設けられ、かつ右方張出部(13)の先端部に下方凸部(16)が設けられて、下方凸部(16)の左側に断面凹弧状の案内面(17)が設けられ、上部扉(5)の左枠部材(21)の第２ヒンジ構成部(22)が、左方にのびかつ下側面が断面円弧形の凸面部(24)となされた左方張出部(23)と、左方張出部(23)の先端寄り部分から上方に突出しかつ先端に断面略円弧形の端面(27)を有する上方凸部(26)とによって構成され、この第２ヒンジ構成部(22)に、上方に向かって開口した開口部(28)を有する下方凸部嵌込み用凹部(29)が設けられ、凹所(3)の左枠部材(11)の第１ヒンジ構成部(12)と上部扉(5)の左枠部材(21)の第２ヒンジ構成部(22)とが互いに嵌め合わせられ、収納庫(2)の上部扉(5)が、床(1)の凹所(3)の上端開口部(3a)に嵌め被せられた状態においては、上部扉(5)の第２ヒンジ構成部(22)が、凹所(3)の左枠部材(11)の第１ヒンジ構成部(12)の凹部(19)内に嵌め込まれて、第２ヒンジ構成部(22)側の上方凸部(26)先端の断面略円弧形の端面(27)が、第１ヒンジ構成部(12)側の下方凸部(16)に係り合わせられるとともに、第２ヒンジ構成部(22)側の左方張出部(23)が、第１ヒンジ構成部(12)側の案内部(14)に係り合わせられ、収納庫(2)の上部扉(5)が、凹所(3)の左枠部材(11)に対してその第２ヒンジ構成部(22)の上方凸部(26)の先端部を中心として揺動した上部扉(5)の開放状態では、第２ヒンジ構成部(22)の凹部(29)内に、第１ヒンジ構成部(12)の右方張出部(13)先端の下方凸部(16)が嵌め込まれて、第２ヒンジ構成部(22)の上方凸部(26)と下方凸部(16)とが相互に係り合わせられるとともに、第２ヒンジ構成部(22)の左方張出部(23)の先端部(23a)が、第１ヒンジ構成部(12)の案内部(14)の右端部に係り合わせられるようになされている、床下収納庫の上部扉の開閉装置。
【請求項２】  床(1) の収納庫嵌入用凹所(3) 内に収められた床下収納庫であって、請求項１に記載の上部扉の開閉装置を備えていることを特徴とする、床下収納庫。
【請求項３】  上部扉(5) が、床下収納庫の方形枠(10)の枠部材(11)に対してヒンジ部を介して略１００°揺動開閉自在に取り付けられていることを特徴とする、請求項２に記載の床下収納庫。
【発明の詳細な説明】
【０００１】
【発明の属する技術分野】
この発明は、床下収納庫の上部扉の開閉装置、およびこれを備えた床下収納庫に関するものである。
【０００２】
【従来の技術】
従来、床下収納庫の上部扉は、床の収納庫嵌入用凹所の上端開口部に設けられた枠部材に鋼製丁番を介して取り付けられており、床の凹所開口部に対して上部扉が上下方向に揺動開閉するようになされていた。
【０００３】
【発明が解決しようとする課題】
しかしながら、従来の床下収納庫の上部扉取付用鋼製丁番は、その取付作業に手間がかゝるだけでなく、丁番の芯（枢軸）を揃えないと、開閉に支障をきたすなどの問題があり、不慣れな作業者では、取付精度を出すのが難しいという問題があった。また鋼製丁番のとくに芯部（枢軸部）が床面より上方に突出しているため、床面上を歩く者の足に当たり、つまづきやすかった。また床の鋼製丁番の取付け部分において、収納庫の上部扉の側枠部材と、床の凹所の側枠部材との間の間隙からゴミが侵入しやすいものであった。さらに、床下収納庫の上部扉の取付部分に多数の丁番が現われて見えるため、外観が非常に悪いという問題があった。
【０００４】
この発明の目的は、上記の従来技術の問題を解決し、床下収納庫の上部扉のヒンジ機構を簡素化し、従来の鋼製丁番の取付けが全く不要で、上部扉の取付け作業に手間がかゝらず、かつ取付精度を確実に出すことができて、上部扉の開閉をスムーズに行なうことができ、かつ収納庫内へのゴミの侵入を確実に防止することができ、しかもヒンジ部の破損が少なく、強度が非常に大きく、かつ耐久性にすぐれているうえに、床面より上方に突出することなく、外観がすぐれている、床下収納庫の上部扉の開閉装置、およびこれを備えた床下収納庫を提供しようとするにある。
【０００５】
【課題を解決するための手段】
上記の目的を達成するために、請求項１の発明による床下収納庫の上部扉の開閉装置は、床の収納庫嵌入用凹所内に上部扉を有する収納庫が収められ、凹所の上端開口部に取り付けられた方形枠の左枠部材に第１ヒンジ構成部が設けられ、収納庫の上部扉に取り付けられた扉枠の左枠部材に第２ヒンジ構成部が設けられ、凹所の左枠部材の第１ヒンジ構成部が、右方張出部と、右方張出部の下側に設けられかつ断面円弧形の案内面を有する案内部とによって構成され、この第１ヒンジ構成部に、右方に向かって開口した開口部を有する第２ヒンジ構成部嵌込み用凹部が設けられ、かつ右方張出部の先端部に下方凸部が設けられて、下方凸部の左側に断面凹弧状の案内面が設けられ、上部扉の左枠部材の第２ヒンジ構成部が、左方にのびかつ下側面が断面円弧形の凸面部となされた左方張出部と、左方張出部の先端寄り部分から上方に突出しかつ先端に断面略円弧形の端面を有する上方凸部とによって構成され、この第２ヒンジ構成部に、上方に向かって開口した開口部を有する下方凸部嵌込み用凹部が設けられ、凹所の左枠部材の第１ヒンジ構成部と上部扉の左枠部材の第２ヒンジ構成部とが互いに嵌め合わせられ、収納庫の上部扉が、床の凹所の上端開口部に嵌め被せられた状態においては、上部扉の第２ヒンジ構成部が、凹所の左枠部材の第１ヒンジ構成部の凹部内に嵌め込まれて、第２ヒンジ構成部側の上方凸部先端の断面略円弧形の端面が、第１ヒンジ構成部側の下方凸部に係り合わせられるとともに、第２ヒンジ構成部側の左方張出部が、第１ヒンジ構成部側の案内部に係り合わせられ、収納庫の上部扉が、凹所の左枠部材に対してその第２ヒンジ構成部の上方凸部の先端部を中心として揺動した収納庫上部扉の開放状態では、第２ヒンジ構成部の凹部内に、第１ヒンジ構成部の右方張出部先端の下方凸部が嵌め込まれて、第２ヒンジ構成部の上方凸部と下方凸部とが相互に係り合わせられるとともに、第２ヒンジ構成部の左方張出部の先端部が、第１ヒンジ構成部の案内部の右端部に係り合わせられるようになされていることを特徴としている。
【０００６】
つぎに、請求項２の発明による床下収納庫は、床の収納庫嵌入用凹所内に収められた床下収納庫であって、上記請求項１に記載の上部扉の開閉装置を備えていることを特徴としている。
また、請求項３の発明による床下収納庫は、上記請求項２に記載の床下収納庫であって、上部扉が、床下収納庫の方形枠の枠部材に対してヒンジ部を介して略１００°揺動開閉自在に取り付けられていることを特徴としている。
【０００７】
【発明の実施の形態】
つぎに、この発明の実施形態を図面を参照して説明する。
【０００８】
この明細書において、左右、前後および上下は、図２を基準とし、左とは図２の左側、右とは同右側をいゝ、また前とは同図図面紙葉の表側、後とは同裏側をいゝ、上とは同図の上側、下とは同下側をいうものとする。
【０００９】
まず図１と図２を参照すると、床(1)の収納庫嵌入用凹所(3)内に上部扉(5)を有する収納庫(2)が収められ、凹所(3)の上端開口部(3a)に、アルミニウム押出形材製の方形枠(10)が取り付けられている。凹所(3)の内部には、収納庫(2)の上方に開口した箱形の収納庫本体(6)と、内蓋(7)とが収められている。凹所(3)の上端開口部(3a)には収納庫(2)の上部扉(5)が嵌め被せられて、上部扉(5)が方形枠(10)の左枠部材(11)に対して後述するヒンジ部を介して略１００°揺動開閉自在に取り付けられている。
【００１０】
ここで、方形枠(10)の左枠部材(11)は、凹所開口部(3a)の内壁に沿う垂直部(11a)と、垂直部(11a)の下端より内方にのびている幅広の下部水平壁部(11b)と、下部水平壁部(11b)の先端より若干下方にさがって内方にのびている幅狭の収納庫本体受け部(11c)と、垂直部(11a)の上端より外方にのびている幅狭の鍔部(11d)とを備えており、垂直部(11a)の上端部内側に連なるように第１ヒンジ構成部(12)が設けられている。
【００１１】
方形枠(10)の右枠部材(31)と前後枠部材(32)(33)とは、いずれも上記左枠部材(11)とほゞ同じ横断面形状を有しているが、右枠部材(31)および前後枠部材(32)(33)にはヒンジ構成部が設けられていない。
【００１２】
これらのうち右枠部材(31)は、図２に示すように、ヒンジ構成部を除いて左枠部材(11)とほゞ同形を有しており、これは凹所開口部(3a)の内壁に沿う垂直部(31a)と、垂直部(31a)の下端より内方にのびている幅狭の水平壁部(31b)と、水平壁部(31b)の先端より若干下方にさがって内方にのびている幅狭の収納庫本体受け部(31c)と、垂直部(31a)の上端より外方にのびている幅狭の鍔部(31d)とを備えている。そして、方形枠(10)の左枠部材(11)の水平壁部(11b)と、同右枠部材(31)の水平壁部(31b)と、同前後枠部材(32)(33)の水平壁部（図示略）が、床(1)の凹所(3)の上端寄り部分の段部(9)にそれぞれ受け止められて、ねじ(9)によって該段部(9)に固定されている。また方形枠(10)の左枠部材(11)の鍔部(11d)と、右枠部材(31)の鍔部(31d)と、前後枠部材(32)(33)の鍔部（図示略）とは、床(1)の凹所開口部(3a)の周縁部において床表面板(1a)の上面に受け止められている。
【００１３】
一方、収納庫(2)の上部扉(5)の周縁部にアルミニウム押出形材製の扉枠(20)が取り付けられていて、扉枠(20)の左枠部材(21)に第２ヒンジ構成部(22)が設けられ、同右枠部材(41)および前後枠部材(42)(43)にはヒンジ構成部が設けられていない。
【００１４】
ここで、扉枠(20)の左枠部材(21)は横断面略コ形で、これの左側壁部(21a)および上下両側壁部(21b)(21c)によって形成された嵌合凹部に、表面板(45)を有するパネル状上部扉主体(44)の左端部が嵌め止められている。この左枠部材(21)の左側壁部(21a)の上端部外側に連なるように、上記第２ヒンジ構成部(22)が設けられている。
【００１５】
なお、扉枠(20)の右枠部材(41)と前後枠部材(42)(43)とはいずれも同じ横断面形状を有し、これらのうち右枠部材(41)は、図２に示すように、ヒンジ構成部を除いて左枠部材(11)とほゞ同形を有しており、右枠部材(41)は横断面略コ形で、これの左側壁部(41a)および上下両側壁部(41b)(41c)によって形成された嵌合凹部に、表面板(45)を有するパネル状上部扉主体(44)の右端部が嵌め止められている。
【００１６】
また、扉枠(20)の左枠部材(21)の下側壁部(21c)、右枠部材(41)の下側壁部(41c)、前後枠部材(42)(43)の下側壁部（図示略）には、これらの先端より下方に伸びる横断面略Ｌ形のストッパ部(40)が扉枠(20)の全周にわたって設けられており、図２と図３に示す上部扉(5)が閉じた状態では、略Ｌ形ストッパ(40)の下端は、方形枠(10)の左枠部材(11)の水平壁部(11b)と、右枠部材(41)の水平壁部(31b)、並びに前後枠部材(51)(52)の水平壁部（図示略）の上面にきわめて安定に載置されている。
【００１７】
床(1)側の方形枠(10)の左枠部材(11)の収納庫本体受け部(11c)と、同右枠部材(41)の収納庫本体受け部(31c)と、同前後枠部材(51)(52)の収納庫本体受け部 （図示略）には、収納庫本体(6)周縁部の鍔部(6a)が着脱自在に受け止められ、該鍔部(6a)には、内蓋(7)の周縁部(7a)が着脱自在に受け止められている。
【００１８】
図３に詳しく示すように、この発明において、床(1)の凹所(3)の開口部(3a)の左枠部材(11)に設けられた第１ヒンジ構成部(12)は、右方張出部(13)と、右方張出部(13)の下側に設けられかつ断面円弧形の案内面(14a)を有する案内部(14)とによって構成され、この第１ヒンジ構成部(12)に、右方に向かって開口した開口部(18)を有する第２ヒンジ構成部嵌込み用凹部(19)が設けられている。また右方張出部(13)の左端寄り部分に、下方に突出した嵌合凸部(15)が設けられるとともに、右方張出部(13)の右端部に横断面鉤形の下方凸部(16)が設けられて、下方凸部(16)の左側に断面凹弧状の案内面(17)が設けられている。
【００１９】
なお、左枠部材(11)の垂直部(11a)と、下部水平壁部(11b)の一部と、下部水平壁部(11b)の幅中間部および第１ヒンジ構成部(12)の案内部(14)の先端部とを連結する立上がり壁部(11e)と、第１ヒンジ構成部(12)の案内部(14)とによって、中空部(30)が形成されており、これによって左枠部材(11)の強度が、非常に大きいものとなされている。
【００２０】
一方、収納庫(2)の上部扉(5)の左枠部材(21)に設けられた第２ヒンジ構成部(22)は、左方にのびかつ下側面が断面円弧形の凸面部(24)となされた左方張出部(23)と、左方張出部(23)の先端寄り部分から上方に突出しかつ先端に断面略円弧形の端面(27)を有する上方凸部(26)とによって構成され、この第２ヒンジ構成部(22)に、上方に向かって開口した開口部(28)を有する下方凸部嵌込み用凹部(29)が設けられ、かつ左方張出部(23)の左端部(23a)と上方凸部(26)の基部との間に嵌合凹部(25)が設けられている。
【００２１】
上記において、床(1)の凹所(3)の方形枠(10)の左枠部材(11)に、収納庫(2)の上部扉(5)を取り付ける際には、凹所(3)側の左枠部材(11)の第１ヒンジ構成部(12)に、上部扉(5)側の扉枠(20)の左枠部材(21)の第２ヒンジ構成部(22)を、第１ヒンジ構成部(12)の凹部(19)内に第２ヒンジ構成部(22)が挿入されるように、上部扉(5)側をスライドさせながら嵌め入れると良い。
【００２２】
このような上部扉(5)の取付けは、上部扉(5)側の第２ヒンジ構成部(22)を、床(1)側の凹所(3)の左枠部材(11)の第１ヒンジ構成部(12)の凹部(19)内に、単に嵌め入れるだけで良く、かつこれらのヒンジ構成部(12)(22)を備えた枠部材(11)(21)は押出形材製であるため、これらの嵌め合わせ作業を簡単に行なうことができ、上部扉(5)の取付工数を大幅に削減することができて、その取付け作業に手間がかゝらない。
【００２３】
図２と図３に示す状態は、床(1)の凹所(3)の左枠部材(11)の第１ヒンジ構成部(12)と、上部扉(5)の左枠部材(21)の第２ヒンジ構成部(22)とが互いに嵌め合わせられ、床(1)の凹所(3)の開口部(3a)に上部扉(5)が嵌め被せられた状態、すなわち上部扉(5)が閉じている状態である。
【００２４】
このとき、上部扉(5)の左枠部材(21)の第２ヒンジ構成部(22)が、床(1)の凹所(3)の左枠部材(11)の第１ヒンジ構成部(12)の凹部(19)内に嵌め込まれて、第２ヒンジ構成部(22)側の上方凸部(26)先端の断面略円弧形の端面(27)が、第１ヒンジ構成部(12)側の下方凸部(16)に係り合わせられている。また、上部扉(5)の第２ヒンジ構成部(22)側の左方張出部(23)が、凹所(3)の左枠部材(11)の第１ヒンジ構成部(12)側の案内部(14)に係り合わせられるとともに、第１ヒンジ構成部(12)側の右方張出部(13)の嵌合凸部(15)と、第２ヒンジ構成部(22)側の左方張出部(23)の嵌合凹部(25)とが嵌め合わせられており、凹所(3)の左枠部材(11)に対し、上部扉(5)は充分な取付強度を有している。
【００２５】
つぎに、図４に示すように、床(1)の凹所(3)の開口部(3a)に嵌め被せられた上部扉(5)を、これの把手(46)を持って上方に揺動させると、上部扉(5)が、その左枠部材(21)の第２ヒンジ構成部(22)の上方凸部(26)の先端部を中心として揺動し、このとき第２ヒンジ構成部(22)の左方張出部(23)の断面円弧形の凸面部(24)が、床(1)の凹所(3)側の左枠部材(11)の第１ヒンジ構成部(12)の案内部(14)の断面円弧形の案内面(14a)に沿って案内されるとともに、左枠部材(11)の右方張出部(13)の先端部が、第２ヒンジ構成部(22)の左方張出部(23)の凹部(29)の横断面円弧形の案内面(29a)に沿って案内され、上部扉(5)が略１００°開放した後の状態では、第２ヒンジ構成部(22)の凹部(29)内に、第１ヒンジ構成部(12)の右方張出部(13)先端の下方凸部(16)が嵌め込まれて、第２ヒンジ構成部(22)の上方凸部(26)と下方凸部(16)とが相互に係り合わせられ、これらがストッパの役目を果している。
【００２６】
上記によれば、床(1)の凹所(3)の左枠部材(11)に対する収納庫(2)の上部扉(5)の揺動機構が簡素化されており、上部扉(5)の略１００°の開閉（揺動）が可能である。
【００２７】
また、床(1)の凹所(3)の左枠部材(11)と上部扉(5)の左枠部材(21)とは共に押出形材製であるため、これらのヒンジ構成部(12)(22)同士の嵌め合わせ作業を簡単に行なうことができるとともに、上部扉(5)の取付精度を確実に出すことができて、上部扉(5)の開閉をスムーズに行なうことができる。
【００２８】
また、床(1)の凹所(3)の左枠部材(11)と、収納庫(2)の上部扉(5)の左枠部材(21)とはいずれも押出形材製であるため、軽量化を果たし得るとともに、床(1)の凹所(3)における上部扉(5)取付部分の美観が向上する。
【００２９】
さらに、床(1)の凹所(3)の左枠部材(11)と収納庫(2)の上部扉(5)の左枠部材(21)とにおけるヒンジ構成部(12)(22)同士の嵌め合わせは、上部扉(5)の左側縁部の全長にわたるものであるとともに、上部扉(5)の左枠部材(21)の第２ヒンジ構成部(22)側に設けられている下方凸部嵌込み用凹部(29)が、該上部扉(5)が閉じている状態では、上方に向かって開口ているため、ヒンジ部から収納庫(2)内にゴミが侵入する心配がない。
【００３０】
なお、上記実施形態では、床(1)の凹所(3)の左枠部材(11)および上部扉(5)の左枠部材(21)が、いずれもアルミニウム押出形材製であるが、これに限らず、これらはその他の金属、あるいは硬質の合成樹脂などによりつくられていても良い。
【００３１】
【発明の効果】
この発明による床下収納庫の上部扉の開閉装置は、上述のように、床の収納庫嵌入用凹所内に上部扉を有する収納庫が収められ、凹所の上端開口部に取り付けられた方形枠の左枠部材に第１ヒンジ構成部が設けられ、収納庫の上部扉に取り付けられた扉枠の左枠部材に第２ヒンジ構成部が設けられ、凹所の左枠部材の第１ヒンジ構成部と上部扉の左枠部材の第２ヒンジ構成部とが互いに嵌め合わせられて、収納庫の上部扉が、床の凹所の上端開口部に嵌め被せられた状態においては、上部扉の第２ヒンジ構成部が、凹所の左枠部材の第１ヒンジ構成部の凹部内に嵌め込まれて、第２ヒンジ構成部側の上方凸部先端の断面略円弧形の端面が、第１ヒンジ構成部側の下方凸部に係り合わせられるとともに、第２ヒンジ構成部側の左方張出部が、第１ヒンジ構成部側の案内部に係り合わせられているもので、この発明によれば、凹所の左枠部材の第１ヒンジ構成部および上部扉の左枠部材の第２ヒンジ構成部は、単にこれらを組み合わせるだけでヒンジ部を構成することができるため、上部扉の取付工数を大幅に削減することができ、従来の鋼製丁番の取付けが全く不要であり、上部扉の取付け作業に手間がかゝらず、しかも取付精度を確実に出すことができる。
【００３２】
そして、収納庫の上部扉が、凹所の左枠部材に対してその第２ヒンジ構成部の上方凸部の先端部を中心として揺動した上部扉の開放状態では、第２ヒンジ構成部の凹部内に、第１ヒンジ構成部の右方張出部先端の下方凸部が嵌め込まれて、第２ヒンジ構成部の上方凸部と下方凸部とが相互に係り合わせられるとともに、第２ヒンジ構成部の左方張出部の先端部が、第１ヒンジ構成部の案内部の右端部に係り合わせられるようになされているもので、この発明によれば、床の収納庫嵌入用凹所に対する収納庫上部扉の揺動開閉機構が簡素化され、上部扉の略１００°の開閉をスムーズに行なうことができる。
【００３３】
また凹所の開口部左枠部材および上部扉の左枠部材は押出形材製であるため、軽量化を果たし得るとともに、凹所の開口部左枠部材の第１ヒンジ構成部と上部扉の左枠部材の第２ヒンジ構成部とによって構成されるヒンジ部は破損が少なく、強度が非常に大きく、かつ耐久性にすぐれている。
【００３４】
さらに、床の凹所の左枠部材と収納庫の上部扉の左枠部材とにおけるヒンジ構成部同士の嵌め合わせは、上部扉の左側縁部の全長にわたるものであるため、ヒンジ部から収納庫内にゴミが侵入する心配がない。
【００３５】
また、この発明によれば、ヒンジ部が床面より上方に突出しておらず、床面上を歩く者がつまづいたりする心配がないし、床面に従来のような上部扉取付用鋼製丁番が現われて見えないため、外観が非常にすぐれているという効果を奏する。
【図面の簡単な説明】
【図１】
本発明の実施形態を示す床下収納庫取付部分の概略平面図である。
【図２】
図１ＡーＡ線に沿う部分省略拡大断面図である。
【図３】
図２の部分拡大断面図で、上部扉が閉じた状態を示している。
【図４】
同部分拡大断面図で、上部扉が開いた状態を示している。
【符号の説明】
１        床
２        収納庫
３        収納庫嵌入用凹所
３ａ      開口部
５        上部扉
１０      方形枠
１１      左枠部材
１２      第１ヒンジ構成部
１３      右方張出部
１４      案内部
１４ａ    断面円弧形の案内面
１６      下方凸部
１７      断面凹弧状の案内面
１８      開口部
１９      第２ヒンジ構成部嵌込み用凹部
２１      左枠部材
２２      第２ヒンジ構成部
２３      左方張出部
２３ａ    先端部
２４      断面円弧形の凸面部
２６      上方凸部
２７      断面略円弧形の端面
２８      開口部
２９      下方凸部嵌込み用凹部